(57)【要約】【課題】遠心ファンのブレードの根元に切り欠け部とリブ形状を設けることにより遠心ファン内部で効果的に空気を流し騒音を低減させることができる遠心ファン装置用ブレード、遠心ファン装置及びそれを備えた電子機器を提供することを目的とする。【解決手段】ブレード２２は、径方向内側においてブレード２２の厚み方向に一体である第１の領域と、径方向外側においてブレード２２の厚み方向に複数に分割された第２の領域とを有し、第１の領域にあってハブ部２１側に凹部４０を設け、凹部４０の底部は整流板３０上でリブ４１になっていることを特徴とする。【選択図】図７
2013185565.tif 000002
【特許請求の範囲】
【請求項１】
ハブ部と、
前記ハブ部から径方向に伸びる複数のブレードと、
前記ハブ部から径方向に伸び、前記ブレードが発生させる風を整流する整流板と、
を備え、
前記ブレードは、前記ハブ部側に凹部を設け、前記凹部の底部は前記整流板上でリブ形状であることを特徴とする遠心ファン装置用ブレード。
【請求項２】
前記ブレードは、径方向内側において前記ブレードの厚み方向に一体である第１の領域と、径方向外側において前記ブレードの厚み方向に複数に分割された第２の領域と、を有することを特徴とする請求項１に記載の遠心ファン装置用ブレード。
【請求項３】
駆動部と、
前記駆動部を収納するハブ部と、
前記ハブ部を中心に径方向に伸びる複数のブレードと、
前記ハブ部から径方向に伸び、前記ブレードが発生させる風を整流する整流板と、
前記ハブ部と前記ブレードと前記整流板を支持するフレームと、
を備え、
前記ブレードは、前記ハブ部側に凹部を設け、前記凹部の底部は前記整流板上でリブ形状であることを特徴とする遠心ファン装置。
【請求項４】
前記ブレードは、径方向内側において前記ブレードの厚み方向に一体である第１の領域と、径方向外側において前記ブレードの厚み方向に複数に分割された第２の領域と、を有することを特徴とする請求項３に記載の遠心ファン装置。
【請求項５】
請求項３または請求項４のいずれかに記載の遠心ファン装置を備えたことを特徴とする電子機器。
【発明の詳細な説明】
【技術分野】
【０００１】
本発明は、電子機器の筐体内部に実装された超小型演算処理装置（以下、ＭＰＵと称する）などの発熱体の冷却に用いる遠心ファン装置で、その発熱体と熱接続された受熱体から放熱体までの熱輸送をヒートパイプや液体冷媒の循環などの方式により効率的に行った後、その放熱体を強制的に送風冷却する遠心ファン装置用ブレード、遠心ファン装置及びそれを備えた電子機器に関するものである。
【背景技術】
【０００２】
最近のコンピュータにおけるデータ処理の高速化の動きはきわめて急速であり、ＭＰＵのクロック周波数は、以前と比較して格段に高いものになってきている。
【０００３】
その結果、ＭＰＵの発熱量が増大し、従来のように放熱フィンを有するヒートシンクを発熱体に接触させて放熱する方法だけでなく、そのヒートシンクをファンで直接冷却する方法、あるいはその発熱体と熱接続された受熱体から放熱体までをヒートパイプを用いて熱輸送したヒートシンクモジュールを構成して、その放熱体をファンの送風で強制冷却する方法、さらには、熱伝導性の高い液体冷媒をポンプによって強制循環させ受熱体と放熱体との間で熱輸送された放熱体を遠心ファン装置などにより強制的に送風して放熱する方法などが必要不可欠となっている。
【０００４】
一方、前述した遠心ファン装置の冷却性能の向上は、その高風量化、高静圧化などの送風性能の向上に大きく依存し、通常遠心ファン装置の送風性能は遠心ファンの回転速度を上昇させて改善することが可能である反面、その遠心ファンのブレード部の風きり音（以下、ファン騒音と称する）も増大する傾向を示すことから、そのファン騒音を低減するために、ファンの対向する２つのブレード外周端に段差を有し、段差にブレードの回転軸を中心とした円環板を設けたものがあった（例えば特許文献１参照）。
【先行技術文献】
【特許文献】
【０００５】
【特許文献１】特開２００９−２５７１１３号公報
【発明の概要】
【発明が解決しようとする課題】
【０００６】
しかしながら、上記のようにブレード外周端に段差を有し、段差にブレードの回転軸を中心とした円環板を設けたものでは、円環板の大きさによっては外気を効果的に吸い込むことができなくなる恐れがあるとともに、回転するブレードからの風向きは一方向になってしまい、ファン装置から吹き出される風も一方向に偏ってしまい、冷却ポイントを狙ってスポット冷却するには好適であるが、広い範囲を効果的に冷却するには課題があった。
【０００７】
また、ファン先端に発生する騒音の元となる渦を分流し小さくすることができるが、渦の移動方向が同じなので、渦同士が再度合体しやすく分流前の渦に戻ることがある。その結果、騒音を低減させることも困難であった。
【０００８】
そこで、本発明は上記課題を鑑みて、遠心ファンのブレード先端を分岐し、それらの空気の流れる方向を分けることで広い範囲を冷却させることができるとともに、遠心ファンのブレードの根元に切り欠け部とリブ形状を設けることにより遠心ファン内部で効果的に空気を流すことができるとともに騒音を低減させることができ遠心ファンの回転速度を増加せずにさらに冷却性能を上げることができる遠心ファン装置用ブレード、遠心ファン装置及びそれを備えた電子機器を提供することを目的とする。
【課題を解決するための手段】
【０００９】
上記目的を達成するために、本発明は、ハブ部と、前記ハブ部から径方向に伸びる複数のブレードと、前記ハブ部から径方向に伸び、前記ブレードが発生させる風を整流する整流板と、を備え、前記ブレードは、前記ハブ部側に凹部を設け、前記凹部の底部は前記整流板上でリブ形状であることを特徴とする遠心ファン装置用ブレード、遠心ファン装置及びそれを備えた電子機器である。
【発明の効果】
【００１０】
本発明によれば、ブレード部の内側のハブ部に接する箇所に切り欠けを設けたことで、遠心ファンの内側で滞留する空気を少なくすることができ、吸い込まれた外気を容易に入れ替えることができ、遠心ファンの冷却性能を向上させることができる。
【００１１】
また、切り欠き部の底部をリブ形状にすることで、整流板の表面から空気を剥離させ空気の小さな渦を作るので遠心ファンのブレードの回転で発生する音を低減させることができる。
【００１２】
すなわち、本発明によれば電子機器に備えられた遠心ファンの静音化と冷却性能の両立を達成させることができる。
【図面の簡単な説明】
【００１３】
【図１】本発明の実施の形態における遠心ファン装置の概観図
【図２】本発明の実施の形態における遠心ファン装置のブレードの斜視図
【図３】本発明の実施の形態における遠心ファン装置のブレードの平面図
【図４】本発明の実施の形態における遠心ファン装置のブレードの拡大平面図
【図５】本発明の実施の形態における遠心ファン装置のブレードの拡大断面図
【図６】本発明の実施の形態における遠心ファン装置のブレードの形状を示す図
【図７】本発明の実施の形態における遠心ファン装置のブレードの動作を示す図
【発明を実施するための形態】
【００１４】
請求項１に記載の発明は、ハブ部と、前記ハブ部から径方向に伸びる複数のブレードと、前記ハブ部から径方向に伸び、前記ブレードが発生させる風を整流する整流板と、を備え、前記ブレードは、前記ハブ部側に凹部を設け、前記凹部の底部は前記整流板上でリブ形状であることを特徴とする遠心ファン装置用ブレードであって、ブレード部の内側のハブ部に接する箇所に切り欠けを設けたことで、遠心ファンの内側で滞留する空気を少なくすることができ、吸い込まれた外気を容易に入れ替えることができ、遠心ファンの冷却性能を向上させることができる。
【００１５】
また、切り欠き部の底部をリブ形状にすることで、整流板の表面から空気を剥離させ空気の小さな渦を作るので遠心ファンのブレードの回転で発生する音を低減させることができる。
【００１６】
請求項２に記載の発明は、前記ブレードは、径方向内側において前記ブレードの厚み方向に一体である第１の領域と、径方向外側において前記ブレードの厚み方向に複数に分割された第２の領域と、を有することを特徴とする請求項１に記載の遠心ファン装置用ブレードであって、大きなブレード面を有する第１の領域を持つことで遠心ファン内部に効果的に外気を吸い込むことができかつ遠心方向に効果的に押し出すことができ、遠心ファンの回転速度を上げずにすなわちファン騒音を増加させずに冷却性能を向上させることができる。さらに、遠心ファンのブレードの先端を分岐し、ブレードから押し出される風を分散させることで、吹き出す風を広範囲に送り出すことができ、広範囲の冷却を可能にすることができ、さらに騒音の原因となる空気のブレードの先端で発生する渦も小さくさせることができる。すなわち、遠心ファン装置の静音化と冷却性能の両立を達成させることができる。
【００１７】
請求項３に記載の発明は、駆動部と、前記駆動部を収納するハブ部と、前記ハブ部を中心に径方向に伸びる複数のブレードと、前記ハブ部から径方向に伸び、前記ブレードが発生させる風を整流する整流板と、前記ハブ部と前記ブレードと前記整流板を支持するフレームと、を備え、前記ブレードは、前記ハブ部側に凹部を設け、前記凹部の底部は前記整流板上でリブ形状であることを特徴とする遠心ファン装置であって、ブレード部の内側のハブ部に接する箇所に切り欠けを設けたことで、遠心ファンの内側で滞留する空気を少なくすることができ、吸い込まれた外気を容易に入れ替えることができ、遠心ファンの冷却性能を向上させることができる。
【００１８】
また、切り欠き部の底部をリブ形状にすることで、整流板の表面から空気を剥離させ空気の小さな渦を作るので遠心ファンのブレードの回転で発生する音を低減させることができる。
【００１９】
請求項４に記載の発明は、前記ブレードは、径方向内側において前記ブレードの厚み方向に一体である第１の領域と、径方向外側において前記ブレードの厚み方向に複数に分割された第２の領域と、を有することを特徴とする請求項３に記載の遠心ファン装置であって、大きなブレード面を有する第１の領域を持つことで遠心ファン内部に効果的に外気を吸い込むことができかつ遠心方向に効果的に押し出すことができ、遠心ファンの回転速度を上げずにすなわちファン騒音を増加させずに冷却性能を向上させることができる。さらに、遠心ファンのブレードの先端を分岐し、ブレードから押し出される風を分散させることで、吹き出す風を広範囲に送り出すことができ、広範囲の冷却を可能にすることができ、さらに騒音の原因となる空気のブレードの先端で発生する渦も小さくさせることができる。すなわち、遠心ファン装置の静音化と冷却性能の両立を達成させることができる。
【００２０】
請求項５に記載の発明は、請求項３または請求項４のいずれかに記載の遠心ファン装置を備えたことを特徴とする電子機器であって、ブレード部の内側のハブ部に接する箇所に切り欠けを設けたことで、遠心ファンの内側で滞留する空気を少なくすることができ、吸い込まれた外気を容易に入れ替えることができ、遠心ファンの冷却性能を向上させることができる。
【００２１】
また、切り欠き部の底部をリブ形状にすることで、整流板の表面から空気を剥離させ空気の小さな渦を作るので遠心ファンのブレードの回転で発生する音を低減させることができる。
【実施例】
【００２２】
以下、本発明の実施の形態について、図面を参照して詳細に説明する。なお、以下に述べる実施例は、本発明の好適な具体例であり、技術的に良好な条件の限定が記載されているが、本発明の範囲は、以下の説明において特に本発明を限定する記載がない限り、これらの条件に限られるものではない。
【００２３】
（実施の形態）
以下、本実施の形態について図面を用いて説明する。なお、各図面において、カバー側を上方、フレーム側を下方として説明する。
【００２４】
図１は、本発明の実施の形態における遠心ファン装置の概観図であり、（ａ）は上方からの斜視図であり、（ｂ）は下方からの斜視図、すなわち（ａ）を裏返しした斜視図である。
【００２５】
まず、図１（ａ）で示したように遠心ファン装置１１のファンケーシング１２は、下部に位置するフレーム１２ａと上部に位置するカバー１２ｂとにより構成されている。
【００２６】
ただし、カバー１２ｂは必ずしも必須ではなく、例えば他の部材の壁などで代用してもよい。
【００２７】
ここで、フレーム１２ａは、樹脂成型、アルミニウム合金のダイカスト成型、またはプレス成形などにより側壁１２ａａと底面１２ａｂとが一体的に成形され、ファンケーシング１２内に吸入した空気をその２方向に外部へ排気する排気口１３が配設されており、底面１２ａｂには周囲から吸入する空気を通過させる略円形状の吸気口１４ａが配設されている（図１（ｂ）参照）。
【００２８】
一方、カバー１２ｂは、スチール、アルミニウム、銅などの金属材料の打ち抜き成形や樹脂成型によりプレート状に成形されており、その中央部に周囲から吸入する空気を通過させる略円形状の吸気口１４ｂが配設されている。
【００２９】
そして、ファンケーシング１２は回転駆動されるブレード部１５を回転自在に収容するので、一対の吸気口１４ａと吸気口１４ｂはそのブレード部１５を挟んで対向配置されている。
【００３０】
また、ハブ部２１内に収納、取り付けられている駆動部であるモータ（図示せず）はブレード部１５のブレード２２を回転させる。例えば、コイルを巻回したステータと、ステータの周囲に設けられ環状のマグネットをその内側に備えるロータとを備え、ステータのコイルに電流を流すなどしてモータを構成する。
【００３１】
ここで、ブレード部１５の素材としては、ポリフェニレンスルフィド（ＰＰＳ）、ポリブチレンテレフタレート（ＰＢＴ）、ポリエチレンテレフタレート（ＰＥＴ）などの樹脂材料を用いた一体成形により形成されている。
【００３２】
以上のような構成により、吸気口１４ａと吸気口１４ｂとの両方から吸入されるそれぞれの空気は、ブレード部１５のハブ部２１の内側中央に固定された回転軸１８方向において相互に反対方向（ぶつかりあう方向）より吸入される。そして、２方向に広く開口した排気口１３から冷却風として空気が吹き出される。
【００３３】
図２は、本発明の実施の形態における遠心ファン装置のブレードの斜視図であり、（ａ）は上方からの斜視図であり、（ｂ）は下方からの斜視図、すなわち（ａ）を裏返しした斜視図である。
【００３４】
図２に示すようにブレード部１５は、ハブ部２１とハブ部２１から伸びる複数のブレード２２を備える。そして、ハブ部２１の外周には吸気口１４ａや吸気口１４ｂ（図１参照）から吸気した空気をスムーズに流す整流効果を持つとともにブレード２２の強度を補強するリング状の整流板３０により構成され、ブレード部１５は時計周りのＲ方向に回転するようになっている。すなわち、整流板３０によって、上下方向に吸気された風をスムーズに遠心方向に方向転換することができる。そのため、吸気口１４ａまたは吸気口１４ｂの外径と整流板３０の外径はほぼ同一である。なお、整流板３０は円環状である必要はなく、多角形など何でもよいが、本実施の形態のように円環状が好ましい。
【００３５】
ここで、ハブ部２１からの伸びたブレード２２は、径方向内側においてブレード部１５の厚み方向に一体であるほぼ平板状の形状を持つ第１の領域（後述する図３の２点鎖線の円の内側）と、径方向外側においてブレード部の厚み方向に複数に分割された第２の領域（後述する図３の２点鎖線の円の外側）とを備える。第２の領域では、第１のブレード２５あるいは第２のブレード２６に分割される。すなわち、ハブ部２１から径方向に向かって、整流板３０がある領域を過ぎてから分岐され、第１のブレード２５と第２のブレード２６とに分かれる。
【００３６】
なお、第１のブレード２５は回転方向前側に湾曲する、いわゆる前進翼であり、第２のブレード２６は、回転方向後側に湾曲する、いわゆる後進翼であるが、この組み合わせに限定されるわけではなく、前進翼、後進翼そして平板翼から選択して組み合わせればよい。
【００３７】
本実施の形態のようにブレード２２を湾曲させることで、ブレード２２はその径方向に流線型の面になっているので遠心ファン装置１１の軸方向から吸い込んだ空気を抵抗なく滑らかに吐き出すことができ、遠心ファン装置１１のブレード２２の送風効率を良化させることができる。
【００３８】
また、ハブ部２１に接するブレード２２の根元部にはその一部を切り欠いた略矩形の形状を持った凹部４０が設けられ、凹部４０の底部は整流板３０の上面よりも高い位置にあるリブ４１（後述する図５を参照）の上面になっている。すなわち、凹部４０の底部は深さ方向で整流板３０の上面に到達しないように形成される。
【００３９】
この凹部４０を設けることで、ハブ部２１付近に吸い込まれた空気がブレード２２と整流板３０に囲まれたハブ部２１側壁近くに滞留することなく、スムーズに流れるようにさせることができる。また、リブ４１を設けることで、整流板３０の表面から空気を剥離させ空気の小さな渦を作るので遠心ファン装置１１のブレード２２の回転で発生する音を低減させることができる（凹部４０及びリブ４１の詳細については後述する）。
【００４０】
すなわち、ブレード２２の先端部を第１のブレード２５と第２のブレード２６との２つに分割した形状にさせているために遠心ファン装置１１の静圧は大きくできるので、ハブ部２１に近い部分は第１のブレード２５の集合体としてすり鉢状の形状にして吸い込み領域を作る必要が無い。したがって、第１のブレード２５はハブ部２１に近い部分まで広い面積をもつ側面にさせることができるので空気を効果的に抱き込むことができ、第１のブレード２５の曲面に沿って第１のブレード２５の外周側へ送り出すことができる。
【００４１】
また、ブレード２２の整流板３０の下部側（第２のブレード２６の中心方向の部分）のハブ部２１に近い部分は傾斜した形状の端部を持ち、第２のブレード２６の集合体としてすり鉢状の形状を持つ。このすり鉢状の空間を利用してハブ部２１内に納められた駆動モータ（図示せず）への配線が行なわれる。なお、第２のブレード２６の形状はこれに限定されるわけではなく、第１のブレード２５のように凹部を設けた形状でもよいし、そのまま何も設けず接するようにハブ部２１に取り付けられた形状でもよい。
【００４２】
また、ハブ部２１の外周に設けられた環状の整流板３０はハブ部２１より外側に伸びているブレード２２の根元の強度をアップさせることができる。すなわち、整流板３０の平面部にブレード２２の一部の面を一体化で構成することで、ブレード２２は整流板３０により固定することができる。こうすることで、ブレード部１５の性能向上のためにブレード２２のブレード枚数を多くし各ブレードのブレード厚が薄くせざるおえなくなった場合でもブレード部１５の回転力にブレード２２は耐えうることができる。
【００４３】
この整流板３０の外径は、吸気口１４ａや吸気口１４ｂ（図１参照）の外径と同一かやや小さくするのが好ましい。すなわち、整流板３０の外径≦吸気口１４ａや吸気口１４ｂの外径の関係とする。この構成にすることで、吸気口１４ａと吸気口１４ｂの上下方向から吸入した空気を衝突させないで第１のブレード２５と第２のブレード２６とに分割されていないブレード２２の広い側面で空気を効果的に抱き込むことができ、ブレード２２の曲面に沿ってブレード２２の外周側へ送り出すことができる。なお、これは吸気口が一方の面にしかない場合においても同様の効果を得ることができる。
【００４４】
すなわち、ブレード部１５は中心部での空気の滞留を防ぐ凹部４０のある部分、遠心方向へ風を向ける役目も持つ整流板３０のある部分、外気を大量に吸気し遠心方向に押し出す役目を持つ整流板３０の外側で２つに分割されていない広い部分、そして吐き出される空気の渦（騒音の原因となるもの）を小さくしかつ再結合を防ぐ役目を持つ２つに分割された部分の４つの領域から形成されている。
【００４５】
この整流板３０が無い場合もあるが、前述したようにブレード２２の強度に課題を残してしまう。また、整流板３０の外径が吸気口１４ａや吸気口１４ｂの外径より大きい場合もあるが、整流板３０の外径を大きくすればそれにつれてブレード部１５の大きさも大きくなってしまう恐れがある。
【００４６】
なお、第１のブレード２５および第２のブレード２６は本実施例では、第１のブレード２５がハブ部２１からの距離が長くブレードの長さが長くなっているが、この場合ブレードが長いほう、つまり第１のブレード２５は吸気口の開口部の大きな吸気口１４ｂ側に配置されるほうが好ましい。
【００４７】
第１のブレード２５あるいは第２のブレード２６のハブ部２１からの距離を両者同じ長さにしてもよいが、ブレードが遠心方向に長いほう、つまり第１のブレード２５を吸気口の開口部の大きな吸気口１４ｂ側に配置することで、多く吸入できた空気をブレード部１５の外側に容易に運び出すことができる。
【００４８】
この際、ブレード２２すなわち第１のブレード２５や第２のブレード２６の先端は吸気口１４ａ、１４ｂ（図１参照）から見て隠れるように吸気口の外径より外側に位置していることが望ましく、第１のブレード２５と第２のブレード２６との長さの比率に応じて、吸気口の大きさを変えることが好ましい。
【００４９】
すなわち、ブレード部１５の高さ方向におけるブレード２２の上端および下端はファンケーシング１２のカバー１２ｂおよび底面１２ａｂ（図１参照）との隙間が狭くなり、ブレード２２の先端で気圧の差により発生する騒音の原因となる空気の渦が、ブレード２２の面を乗り越えて隣のブレードに移動して隣の空気の渦と合体するのを防止することができる。
【００５０】
図３を用いて、ブレード部１５のブレード２２の形状について説明する。図３は、本発明の実施の形態における遠心ファン装置のブレードの平面図であり、（ａ）は遠心ファンの上面図、（ｂ）は（ａ）のＡ方向から見た遠心ファンの側面図である。
【００５１】
図３において、上述したように、第１のブレード２５は回転方向前側に湾曲しており、第２のブレード２６は回転方向後側に湾曲している。そして、第１のブレード２５の先端部間のピッチＰの間に第２のブレード２６の先端部Ｑが位置する（詳細は後述する）。
【００５２】
好ましくは、第１のブレード２５の先端部間のピッチＰの中間に第２のブレード２６の先端部Ｑが位置するのがよい。このように配置することで、第１のブレード２５で発生する空気の渦と第２のブレード２６で発生する空気の渦との距離（ブレード部１５の周方向の距離）を最も離すことができる（詳細は後述する）。
【００５３】
また、第１のブレード２５と第２のブレード２６とに分岐され始める分岐点であるＣ点は、ブレード部１５の径方向で吸気口１４ａや吸気口１４ｂ（図１参照）の外径よりも外側に位置する。
【００５４】
このように構成することで、ブレード２２が分岐され始める分岐点であるＣ点と吸気口１４ａや吸気口１４ｂ（図１参照）の面から外しオーバーラップさせないことで、ブレード２２がまだ分岐されていない広い側面を有する部分で吸気口１４ａや吸気口１４ｂ（図１参照）から大量に外気を吸気することができ、それを吹き出し冷却のための空気として利用することができる。
【００５５】
なお、ブレード部１５の大きさに応じて、第１のブレード２５と第２のブレード２６は第１のブレード２５と第２のブレード２６で発生した空気の渦が再結合しない程度の長さ（分岐点であるＣ点からブレード部１５の外周までの長さ）と曲面があればよい。
【００５６】
ここで、整流板３０の外径、吸気口１４ａや吸気口１４ｂの外径、ブレード２２の分岐点であるＣ点の位置そしてブレード部１５の外径についてまとめておく。ここでは、ブレード部１５の中心からの半径と距離の大きさで示す。すなわち、整流板３０の外径≦吸気口１４ａや吸気口１４ｂの外径＜ブレード２２の分岐点であるＣ点までの距離＜ブレード部１５の外径である。
【００５７】
また、凹部４０のブレード径方向の幅と整流板３０の幅の関係は、凹部４０のブレード径方向の幅＜整流板３０の幅となる。
【００５８】
前述したように第１のブレード２５および第２のブレード２６は、第１のブレード２５がハブ部２１からの距離が長くブレードの長さが長くしているので、図３（ｂ）に示すように第１のブレード２５と第２のブレード２６との境目で段差が形成されている。この段差を設けることで、第１のブレード２５で発生する空気の渦と第２のブレード２６で発生する空気の渦との距離（ブレード部１５の軸方向の距離）を離すことができ、第１のブレード２５で発生する空気の渦と第２のブレード２６で発生する空気の渦との距離を三次元的（斜め上下方向）に離すことができる。
【００５９】
また、第１のブレード２５と第２のブレード２６の長さ（径でもある）に関して第１のブレード２５のほうを長くしている。吸気口面積が大きい吸気口１４ｂ（図１参照）側にブレード長の長い第１のブレード２５を設けているので大量の空気を吸い込んだ側のブレードの先端部の周速が大きく遠心ファン装置の冷却性能を向上させることができる。
【００６０】
本実施の形態では、ハブ部２１の外径が２０ｍｍφ、第１のブレード２５の外径が４４ｍｍφ、第２のブレード２６の外径は４２ｍｍφ、整流板３０の外径は３２ｍｍφ、吸気口１４ａと吸気口１４ｂの外径は３２ｍｍφ、分岐点であるＣ点を結んだ線の径は３３．５ｍｍφ、凹部４０の幅は１．５ｍｍ、リブ４１の高さは０．５ｍｍであり、この時に静音と風量のバランスがよく、同一騒音の条件下では遠心ファン装置１１の冷却性能がベストとなる。
【００６１】
また、第１のブレード２５および第２のブレード２６の長さはこれに限定されるわけではないが、ファンの騒音の原因となる空気の渦の発生場所を考慮すると本実施例の形態が適切である。
【００６２】
また、第１のブレード２５と第２のブレード２６のブレード部１５の回転軸方向の各々のブレードの幅（図３（ｂ）のブレード部の厚み方向の長さ）は、第２のブレード２６側すなわち回転軸受を受ける部分を備えている側の幅を製造上大きくしたほうがブレード部１５の強度のためには良好である。
【００６３】
図４を用いて、ブレード部１５の各要素の配置について説明する。図４は、本発明の実施の形態における遠心ファン装置のブレードの拡大平面図である。
【００６４】
ブレード部１５の各要素の位置を決める手順について説明する。遠心ファン装置１１を搭載する電子機器などの製品仕様でその大きさが決まると、遠心ファン装置１１の大きさすなわちブレード部１５のブレード２２の第１のブレード２５の径（Ｒ１）を決めることができる。そして、第１のブレード２５の径（Ｒ１）と電子機器を含めたシステムの風路抵抗とにより遠心ファン装置１１の吸気口１４ｂの径（Ｒ５）を決め、そして、ブレード部１５の径（Ｒ１）と吸気口１４ｂの径（Ｒ５）とにより整流板３０の径（Ｒ３）と分岐点であるＣ点を結んだ線の径（Ｒ４）とが決定される。そして、第２のブレード２６の径（Ｒ２）と凹部４０の幅とは遠心ファン装置１１の冷却性能を最大限発揮させることができる大きさで決定される。
【００６５】
また、遠心ファン装置１１のブレード２２の先端を分岐し、ブレード２２から押し出される風を分散させることで、吹き出す風を広範囲に送り出すことができ、広範囲の冷却を可能にすることができ、さらにブレード２２の先端で発生する騒音の原因となる空気の渦も小さくさせることができる。すなわち、遠心ファン装置１１の静音化と冷却性能の両立を達成させることができる。
【００６６】
また、ブレード２２が分割されていない上下一体となった広いブレード側面を設け、その広い側面部分を吸気口１４ａ、１４ｂと重なり合わせるあるいは近接させることで、吸気口１４ａ、１４ｂから効果的に大量に外気を吸気することができ、冷却のために送風する風量を十分に確保することができる。
【００６７】
次に、図５を用いて凹部４０及びリブ４１について詳細に説明する。図５は、本発明の実施の形態における遠心ファン装置のブレードの拡大断面図である。
【００６８】
図５に示すように、ハブ部２１の外周に沿ってブレード２２の第１のブレード２５側でハブ部２１側の根元に凹部４０及びリブ４１を設ける。
【００６９】
凹部４０を設けることで、ハブ部２１の外周に沿って環状の空間が作られ、空気の流路としてその環状の空間を利用することができる。
【００７０】
すなわち、ブレード２２の第１のブレード２５側のハブ部２１に近い領域（図４において整流板３０のＲ３より内側でハブ部２１の外周より外側で、ハブ部２１寄りの領域）に吸気口１４ｂ（図１参照）から吸気された空気は、凹部４０が無い場合にはブレード２２の間に滞留しやすくなるが、凹部４０が有る場合にはそこを経由して隣のあるいはさらに隣のブレード２２へと流れ、吸気された空気は滞留せずスムーズに流すことができる（空気の流れの詳細な説明は後述する）。
【００７１】
また、凹部４０の幅Ｗは前述した通り１．５ｍｍであり、凹部の底部であるリブ４１の高さＨは整流板３０の上面から０．５ｍｍ程度高くなっている。
【００７２】
このようにリブ４１を整流板３０の上面より高くすることで、整流板３０の表面から空気を剥離させ空気の小さな渦を作るので遠心ファン装置１１のブレード２２の回転で発生する音を低減させることができる。さらにブレード２２を切り欠いた部分（凹部４０に相当）にリブ構造を設けることができ、ブレード２２に凹部４０を設けてもブレード２２の強度を補強することができる。
【００７３】
なお、リブ４１は整流板３０や第１のブレード２５とともに一体成形してもよい。
【００７４】
次に、図６を用いてブレード２２の先端部の形状について説明する。図６は、本発明の実施の形態における遠心ファン装置のブレードの形状を示す図である。
【００７５】
ブレード２２はハブ部２１から伸びており（図２参照）、整流板３０に接合または一体的に構成されておりブレード２２の強度アップが図られている。
【００７６】
そして、図６に示すように整流板３０より径方向外側に伸びていくブレード２２は、Ｃ点において２つのブレード部に分割分岐される。Ｃ点の位置はブレード部１５の外径と吸気口１４ａと吸気口１４ｂの外径および要望されるファン性能により決定される。
【００７７】
第１のブレード２５は回転方向前側に湾曲しており、第２のブレード２６は回転方向後側に湾曲している。それぞれのブレード部は、緩やかな曲率をもって湾曲している。第１のブレード２５は円Ｍの円周の一部に沿って湾曲し、第２のブレード２６は円Ｎの円周の一部に沿って湾曲している。
【００７８】
それぞれのブレード部の終端である第１のブレード２５の終端をＸ、Ｙそして第２のブレード２６の終端をＺ、ブレード部１５の中心をＯとしたときに、線分ＯＺは角度ＸＯＹを二等分する線分になる点をＺとした。これにより、上下のブレードで発生した空気の渦が最も離れた位置で吐き出され、それらの渦が再結合しない効果を特に発揮することができる。
【００７９】
なお、本実施例では線分ＯＺは角度ＸＯＹを二等分した線にしているが、線分ＯＺが角度ＸＯＹ内にあって、（１／３）×∠ＸＯＹ＜∠ＸＯＺ＜（２／３）×∠ＸＯＹの関係にあれば、上下のブレードで発生した空気の渦が再結合しない効果を発揮することができ、さらに隣り合った第１のブレード２５と第２のブレード２６のブレードが重なり合わずブレードの送風性能を妨げることがない。
【００８０】
すなわち、ブレード２２は径方向においてブレード部１５の厚み方向に一体である第１の領域（Ｃ点より内側）とブレード部１５の厚み方向で２つに分割された第２の領域（Ｃ点より外側）とを備え、第２の領域において分割された２つの先端部は、ブレード部１５の周方向において互いに異なる方向に伸びている。
【００８１】
そして、第１のブレード２５が沿う円Ｍの中心は回転方向前側にあり、第２のブレード２６が沿う円Ｎの中心は回転方向後側にある。
【００８２】
本実施例では、ブレード部１５の外径は４４ｍｍφ、整流板３０の外径は３２ｍｍφ、吸気口１４ａと吸気口１４ｂの外径は３２ｍｍφであって、その時の円Ｍおよび円Ｎの直径は３３ｍｍφである。
【００８３】
ただし、円Ｍと円Ｎの直径は必ずしも等しい必要はない。遠心ファン装置１１上方から見て、第１のブレード２５と第２のブレード２６とが交互になるように適宜直径の値を決めればよい。
【００８４】
また、これらの数値に限られるわけではなく、遠心ファン装置１１の大きさや風路抵抗により、ブレード部１５の外径は４０〜６０ｍｍφ、整流板３０の外径は２６〜４５ｍｍφ、吸気口１４ａと吸気口１４ｂの外径は３０〜４５ｍｍφ、凹部４０の幅は１〜２ｍｍ、リブ４１の高さは０．３〜１ｍｍ（第１のブレード２５の最大高さの１０〜４０％）内で適宜設定される。
【００８５】
図７を用いて、ブレード部１５の動作、特にファンでの空気の流れについて説明する。図７は、本発明の実施の形態における遠心ファン装置のブレードの動作を示す図である。
【００８６】
なお、本実施の形態では空気の流れはブレード部１５の上方向から吸気された場合について図示説明しているが、ブレード部１５の下方向から吸気された場合も同様である。
【００８７】
図７において、ブレード部１５は時計周りのＲ方向に回転しており、吸気口１４ａと吸気口１４ｂ（図１参照）の両方向から吸気された外気はブレード２２の間に抱き込まれる。抱き込まれた空気の一部はブレード２２の側壁に沿って外側へと送り出され、他の一部（特にハブ部２１に近いところにある空気）はブレード２２の間で滞留せず、隙間である凹部４０を経由して隣あるいはさらに隣のブレード２２へそして外部へと流れ込む空気の流れを作り、ハブ部２１に近いところで空気が滞留するのを防ぐことができ、吸気された空気を有効に利用でき遠心ファン装置１１の冷却性能を向上させることができる。
【００８８】
すなわち、例えば第１のブレード２５に凹部４０を設けない場合には、ハブ部２１に近いところに吸い込まれた空気は隣ブレードとの間で挟まれるとともに、第１のブレード２５の径方向外側のところに吸い込まれた空気にも遮蔽されるのでハブ部２１に近いところに空気が滞留してしまう。そこで、第１のブレード２５に凹部４０を設けることでハブ部２１に近いところの空気をブレード２２の径方向に空気の流動性を高めることができる。
【００８９】
図７に示すように、ブレード部１５の上方から吸い込まれた空気の一部は第１のブレード２５の径方向に流れ、また一部は凹部４０が形成する溝の周方向に流れた後に隣あるいはさらに隣の第１のブレード２５間へ流れ込み、ハブ部２１に近い部分の空気が滞留するのを防ぐことができる。
【００９０】
また、整流板３０上に設けられた第１のブレード２５のリブ４１は、ブレード部１５の上方から吸い込まれた空気の一部が凹部４０の形成する溝の周方向に流れるときにリブ４１を乗り上げながら通過するので、整流板３０から空気を剥離し、大きな渦流ではなく小さな渦流を形成しやすくさせる。そのため、遠心ファン装置１１のブレード２２の回転で発生する音を低減させることができる。
【００９１】
吸気口１４ａと吸気口１４ｂ（図１参照）の両方向から吸気された外気は、その途中から分岐されているブレード２２に沿って第１のブレード２５と第２のブレード２６の先端部付近において、太い矢印で示したように渦Ａと渦Ｂとが形成される。
【００９２】
そして、第１のブレード２５と第２のブレード２６の先端部付近で発生した渦が再度結合することなく、第１のブレード２５と第２のブレード２６のブレードの先端部から外部に排気される。すなわち、ブレード面の曲線に沿う方向とブレード部１５の回転方向の合力方向に渦は押し出される。
【００９３】
つまり、前進翼である第１のブレード２５から押し出された渦Ａは、ブレード部１５の回転方向寄りに押し出されて渦Ｃとなり、後進翼である第２のブレード２６から押し出された渦Ｂは、ブレード部１５の回転方向後側へ押し出された渦Ｄとなる。
【００９４】
さらに、第１のブレード２５の径が第２のブレード２６の径に比べ長いので、ブレード部１５の回転力により押し出された渦Ｃの移動速度（空気の流れ）は渦Ｄの移動速度より速い。
【００９５】
これにより、ブレード２２を分岐した第１のブレード２５と第２のブレード２６とで分流された渦は外部へ押し出される方向が異なりかつ速度も異なるので、分流後の渦が容易に再結合することを防止することができる。
【００９６】
したがって、形状が異なりその伸びる方向が異なる２つに分岐されたブレードをもつことで、大きな１つの渦になるはずだった空気を２つの小さな渦に分割させることができる。このようにして空気の渦を小さくすることで騒音を低減させることができ、遠心ファン装置１１の騒音を低減させることができる。
【００９７】
すなわち、ブレード２２は互いに異なる方向に曲線を持って伸びる第１のブレード２５と第２のブレード２６を設けることにより、渦の流れる方向を異ならせながら分流し、分流した渦が結合しにくくしているため、ブレード２２の先端に発生する渦が小さくなり、この渦を小さくさせることによって発生する騒音を低減させることができ、遠心ファン装置１１の騒音を低減させることができる。
【００９８】
また、第１のブレード２５と第２のブレード２６の異なる向きでブレード２２から押し出される風を分散させることができ、吹き出す風を広範囲に送り出すことができ、広範囲の冷却が可能となる。
【００９９】
また、広範囲に冷却風を吹き出すことができるので、遠心ファン装置１１の周辺に発熱部材やヒートパイプなどの放熱部分を広く配置させ冷却させることができ、それらの放熱や冷却を高めることができる。
【０１００】
なお、第１のブレード２５と第２のブレード２６の回転軸方向における高さつまりブレードの幅は同じ幅であることが望ましく、同じ幅であるほうが発生する空気の渦が等分され、大きな騒音の原因となる大きな渦が発生しないので、幅が異なる場合と比較して騒音が小さくなるので同じ幅であるほうが好ましい。
【０１０１】
また、本実施例では分岐点であるＣ点（図３参照）から伸びる方向の異なる第１、第２のブレードにより空気の渦が発生する場所を分割しているが、さらに伸びる方向の異なる第３のブレードを設けてもよい。
【０１０２】
また、上述したブレードを遠心ファン装置のブレードとして用いることで、冷却性能を満足させながら、十分な静音性を確保した遠心ファン装置を提供することができる。
【０１０３】
さらに、上述した遠心ファン装置をノートＰＣなどの電子機器に搭載することで、冷却性能を満足させながら、十分な静音性を確保した電子機器を提供することができる。
【０１０４】
ここで、発明者が鋭意検討した結果について説明する。すなわち電子機器内の半導体素子の冷却のために本実施の形態の遠心ファン装置用のブレード２２を備えた遠心ファン装置１１を用いた時の素子温度の一例の結果は、凹部４０の幅が０ｍｍ（凹部が無い）場合その温度はおよそ６０℃であり、凹部４０の幅が１．５ｍｍの場合その温度はおよそ５０℃であり、凹部４０の幅が３ｍｍの場合その温度はおよそ８０℃であった。
【０１０５】
以上の検討結果より、凹部４０を第１のブレード２５に設けると遠心ファン装置１１の冷却性能が良くなることが判る。しかし、凹部４０の幅が大きすぎるとその冷却性能は低下してくる。これは、第１のブレード２５が吸気口１４ｂ（図１参照）から吸気された空気を取り込むそのブレード面積が不足してくるためである。
【０１０６】
以上に述べたように、第１のブレード２５に凹部４０及びリブ４１を設けたブレードの遠心ファンは吸気口１４ｂから吸気された外気を滞留なく滑らかに送風させやすく、空冷の冷却性能を向上させファンの騒音を低くすることができる。
【産業上の利用可能性】
【０１０７】
本発明による遠心ファン装置用ブレード、遠心ファン装置及びそれを備えた電子機器は、筐体内部に実装されたＭＰＵやさまざまな発熱電子部品を冷却することが可能で、より静音性の求められるノートパソコン、音響機器、映像機器などに有用である。
【符号の説明】
【０１０８】
１１    遠心ファン装置
１２    ファンケーシング
１２ａ    フレーム
１２ａａ    側壁
１２ａｂ    底面
１２ｂ    カバー
１３    排気口
１４ａ    吸気口
１４ｂ    吸気口
１５    ブレード部
２１    ハブ部
２２    ブレード
２５    第１のブレード
２６    第２のブレード
３０    整流板
４０    凹部
４１    リブ
【図１】
2013185565.tif 000003
【図２】
2013185565.tif 000004
【図３】
2013185565.tif 000005
【図４】
2013185565.tif 000006
【図５】
2013185565.tif 000007
【図６】
2013185565.tif 000008
【図７】
2013185565.tif 000009